(57)【特許請求の範囲】
【請求項１】
無線ＬＡＮを構成するＭＡＣ階層、物理階層、及び物理媒体の間で伝えられるデータフレームを生成させる方法において、
前記ＭＡＣ階層で、より上位階層からデータフレームを受信し、受信された前記データフレームにＭＡＣ階層ヘッダを添加した後、前記受信したデータフレームの長さに応じて設定された数（ｎ）だけ前記データフレームを内部分割する段階と、
ｎ個に分割された前記データフレームの各々にＣＲＣを添加し、前記分割されたデータフレーム及び添加された前記ＣＲＣを一つの内部フレームとして、前記設定された数（ｎ）だけの前記内部フレームを含んだデータフレームを生成する段階と、
前記物理階層で、前記ＭＡＣ階層から受信した前記設定された数（ｎ）だけの内部フレームを含んだデータフレームと、プリアンブル及び物理階層ヘッダとを用いて一つの物理階層データフレームを生成する段階と、を備えることを特徴とするペイロード内でのフレーム分割方法。
【請求項２】
前記物理階層データフレームを生成する段階は、
前記物理階層で、前記設定された数(ｎ)だけの内部フレームを含んだデータフレームを受信し、前記内部フレームのそれぞれに対してＩＥＥＥ  ８０２．１１ａの規定によって処理して前記設定された数(ｎ)だけのサブペイロードを生成する段階と、
前記設定された数(ｎ)だけのサブペイロードのうち最初のサブペイロードを除いた残りのサブペイロードの前に部分プリアンブル及び物理階層ヘッダを所定の方法で挿入してペイロードを生成する段階と、
生成された前記ペイロードにプリアンブル及び物理階層ヘッダを添加して物理階層データフレームを生成する段階と、を備えることを特徴とする請求項１に記載のペイロード内でのフレーム分割方法。
【請求項３】
前記物理階層データフレームは、
プリアンブル、ヘッダ、及びペイロードで構成されるサブ物理階層データフレームグループを前記設定された数(ｎ)だけ有し、
前記物理階層データフレームの最初のヘッダは前記最初のヘッダの後に存在するあらゆるデータフレームの長さを示し、二番目ヘッダは前記二番目ヘッダの後に存在するあらゆるデータフレームの長さを示し、ｎ番目ヘッダは前記ｎ番目ヘッダの後に存在する残りデータフレームの長さを示すことを特徴とする請求項２に記載のペイロード内でのフレーム分割方法。
【請求項４】
前記設定された数(ｎ)は、
上位階層から受信したデータフレームの長さと前記ＭＡＣ階層で受信可能なデータフレームの長さとの比率によって決定されることを特徴とする請求項１ないし３のうち何れか一項に記載のペイロード内でのフレーム分割方法。
【請求項５】
前記ペイロード内でのフレーム分割方法は、
データフレーム送信装置から伝送されるデータフレームを受信した受信装置がＡＣＫフレームを前記データフレーム送信装置に伝送する段階をさらに備え、
前記ＡＣＫフレームは、前記設定された数(ｎ）だけ区分された前記物理階層データフレームが伝送される途中にエラーが発生したことをそれぞれ指示するためのデータを含むことを特徴とする請求項１ないし３のうち何れか一項に記載のペイロード内でのフレーム分割方法。
【請求項６】
前記設定された数(ｎ)は、
上位階層から受信したデータフレームの長さと前記ＭＡＣ階層で受信可能なデータフレームの長さとの比率によって決定されることを特徴とする請求項５に記載のペイロード内でのフレーム分割方法。
【請求項７】
無線ＬＡＮを構成するＭＡＣ階層、物理階層、及び物理媒体の間で伝えられるデータフレームを生成させる方法において、
前記ＭＡＣ階層で、より上位階層から受信したデータフレームにＭＡＣ階層ヘッダを添加した後、複数(ｎ)のデータフレームに分割し、分割されたそれぞれのフレームにＣＲＣをそれぞれ割り当ててデータフレームを内部分割する段階と、
前記物理階層で、前記ＭＡＣ階層から受信した内部分割された前記データフレームと、プリアンブル及び物理階層ヘッダとを用いて一つの物理階層データフレームを生成する段階と、を備えることを特徴とするペイロード内でのフレーム分割方法。
【発明の詳細な説明】
【技術分野】
【０００１】
本発明は、データ通信に係り、特に、無線ＬＡＮ(Ｗｉｒｅｌｅｓｓ Ｌｏｃａｌ Ａｒｅａ  Ｎｅｔｗｏｒｋ)に関する。
【背景技術】
【０００２】
無線ＬＡＮを構成する小規模の無線通信セルは、複数のステーション(端末機)及び前記複数のステーションと有線網を連結するＡＰ(Ａｃｃｅｓｓ Ｐｏｉｎｔ)からなる。任意の無線通信セルの内部に存在する複数のステーション間または一つの無線通信セルに存在する任意のステーションと他の無線通信セルに存在する任意のステーション間のデータ通信はそれぞれの無線通信セルに存在するＡＰを媒介として行われる。ＡＰとステーションとは、相互間の無線通信のためにそれぞれ無線データ送受信装置が内蔵されている。
【０００３】
一つの無線通信セルには複数のステーションが存在するが、これら複数のステーションが一つのＡＰを通じて同時にデータを送／受信することはできない。したがって、各ステーションは相互衝突を避けるために順序を指定するが、その順序は次の通りである。送信すべきデータが発生したステーションは一定範囲(１〜Ｎ)内で任意の値を抽出し、伝送チャンネルが使われているか否かを一定時間周期で検査し、使われていない場合にその抽出値を１ずつ差し引く。この値がゼロになる時、ステーションは自身の順と見てフレームを伝送する。セル内のあらゆるステーションがフレームを送る度に任意の数を抽出するので、相異なる値が抽出される確率が高くなって自然に伝送順序が決定され、同じ値が抽出される確率が低くなって衝突を避けうる(非特許文献１)。 伝送データの衝突を防止するための方法の一つとして、チャンネル共有方式がＣＳＭＡ／ＣＡ(Ｃａｒｒｉｅｒ Ｓｅｎｓｉｎｇ Ｍｕｌｔｉｐｌｅ Ａｃｃｅｓｓ／Ｃｏｌｌｉｓｉｏｎ Ａｖｏｉｄａｎｃｅ)メカニズム形式に動作する無線データ通信が考案された。
【０００４】
ＣＳＭＡＣＡ形式の無線通信セルにおいてはフレーム単位でデータの送受信が行われる。データ送信装置は、一つのデータフレームを受信装置に伝送した後、前記受信装置から前記データフレームを正常に伝達されたことを意味する認証フレーム(以下、ＡＣＫフレーム)を通報された場合に限ってその後のデータフレームが伝送できる。
一般的にデータフレームは、プリアンブル、ヘッダ、ペイロードからなる。
プリアンブルは、送受信装置間に予め約定した特定パターンであって、データフレームの先頭に位置する。受信装置は、プリアンブルを用いて現在チャンネルのフレームの検出、フレームが検出された時にはフレームの開始部分の検出、送受信装置間の同期、受信信号に発生したチャンネル歪みの影響推定などを行う。
【０００５】
ヘッダは、後述する物理階層とＭＡＣ階層でそれぞれ異なって定義される。ＭＡＣ階層のヘッダは、ＭＡＣアドレス(送信及び受信)と制御用情報とが含まれている。無線ＬＡＮは、受信されたフレームのあて先が自身であるか否かをＭＡＣヘッダから判断する。物理階層のヘッダは、物理階層フレームにおけるペイロード長と伝送率などの情報を含んでいる。
ペイロードは、ステーションが伝送しようとするデータであって、モデムで一定の規則によって変調される部分である。
【０００６】
図１は、イーサネット（登録商標）(Ｅｔｈｅｒｎｅｔ（登録商標）、ＩＥＥＥ ８０２.３)と無線ＬＡＮ(ＩＥＥＥ８０２.１１ａ)間のプロトコルの長さを示すダイアグラムである。
図１を参照すれば、無線ＬＡＮ標準中の一つであるＩＥＥＥ８０２.１１ａで規定することであって、より高い階層から低い階層に伝えられる時の処理可能なフレームの長さが分かる。無線ＬＡＮはイーサネット（登録商標）に連結されており、無線ＬＡＮはＭＡＣ階層及び物理階層に区分されうる。
【０００７】
無線ＬＡＮのＭＡＣ階層は、イーサネット（登録商標）を通じて受信したイーサネット（登録商標）フレーム(８０２.３ＭＡＣ)１００をＭＳＤＵ(ＭＡＣ Ｓｅｒｖｉｃｅ  Ｄａｔａ  Ｕｎｉｔ)１１０と定義する。ＭＳＤＵ１１０は、ＭＡＣ階層でＭＰＤＵ(ＭＡＣ Ｐｒｏｔｏｃｏｌ  Ｄａｔａ  Ｕｎｉｔ)１２０の生成に使われる。ＭＰＤＵ１２０は、ＭＳＤＵ１１０、ＭＡＣ Ｈｅａｄｅｒ及びＦＣＳ(Ｆｒａｍｅ Ｃｈｅｃｋ Ｓｅｑｕｅｎｃｅ)で構成される。ここでＦＣＳは、ＭＡＣ階層フレームでＩＥＥＥ３２−ｂｉｔ ＣＲＣ(Ｃｙｃｌｉｃ Ｒｅｄｕｎｄａｎｃｙ Ｃｏｄｅ)に対する値を有している部分であって、ＭＡＣ階層フレームのエラー有無を検査するのに使われる。物理階層は、前記ＭＡＣ階層からＭＰＤＵ１２０を受信し、これをＰＳＤＵ(Ｐｈｙｓｉｃａｌ Ｓｅｒｖｉｃｅ Ｄａｔａ Ｕｎｉｔ)１３０と定義する。物理階層は、ＰＳＤＵ１３０を国際標準(ＩＥＥＥ ８０２.１１ａ)で規定した方法によってペイロードに変換し、プリアンブルＰＬＣＰ(Ｐｈｙｓｉｃａｌ Ｌａｙｅｒ Ｃｏｎｖｅｒｇｅｎｃｅ Ｐｒｏｔｏｃｏｌ)及びヘッダ(ＳＩＧＮＡＬ ｆｉｅｌｄ)を添加して物理階層フレーム１４０を生成した後に物理媒体に伝送する。物理階層は、ＰＭＤ(Ｐｈｙｓｉｃａｌ Ｍｅｄｉｕｍ Ｄｅｐｅｎｄｅｎｔ)とＰＬＣＰとで構成される。ＰＭＤはアンテナ、ＲＦモデム機能を含み、ＰＬＣＰはＭＡＣ階層とＰＭＤ階層間で相互フレームの形式を変換させる機能を行う。
【０００８】
図１を参照すれば、イーサネット（登録商標）フレーム１００の最大長さは１５２６ｏｃｔであるが、ＭＡＣ階層で収容可能な最大ＭＳＤＵ１１０の長さは２３１２ｏｃｔ(ｏｃｔは８ｂｉｔｓを意味する)である。したがって、下位階層であるＭＡＣ階層ではさらに上位階層であるイーサネット（登録商標）のデータフレームを収容するのに問題がない。また、ＭＡＣ階層で生成されたＭＰＤＵ１２０の長さは最大２３４６ｏｃｔ(最大ＭＳＤＵ(２３１２ｏｃｔ)＋ＭＡＣ Ｈｅａｄｅｒ(３０ｏｃｔ)＋ＦＣＳ(４ｏｃｔ))であるが、物理階層で収容可能な最大ＰＳＤＵ１３０は４０９５ｏｃｔである。したがって、上位階層であるＭＡＣ階層のデータフレームをさらに下位階層である物理階層で収容することにも問題がない。
【０００９】
したがって、イーサネット（登録商標）により連結されている現在の無線ＬＡＮは、１回の伝送で最大１５２６ｏｃｔのＭＳＤＵを処理するので標準で規定した最大フレーム長さが完全に使われていない。ＭＳＤＵが１５２６ｏｃｔであれば、ＭＰＤＵまたはＰＳＤＵは１５６０ｏｃｔ(１５２６＋３４)になるので、物理階層で処理できるＰＳＤＵ長さと対応してみれば約３８％を使用している。
実際に伝送されるフレームの長さはＭＡＣ上位階層の実際伝送率である伝送効率を計算する基準となる。
【００１０】
図２は、無線ＬＡＮ(８０２.１１ａ)でフレームを送受信するタイミングダイアグラムを示す。
図２を参照すれば、ＡＰとステーション間の物理階層で、ＩＥＥＥ８０２.１１ａ標準によってフレームを交換しつつデータを伝送する方式がわかる。
Ｂｕｓｙ  Ｍｅｄｉｕｍ２００は、受信装置がデータを任意の伝送装置から受信していることを示す。ｂａｃｋ−ｏｆｆ２１０は、受信装置がデータを伝送装置からそれ以上受信しなくなった時から一定時間(ＤＩＦＳ)の経過後、送信装置は前述したように任意の値を抽出して一定周期(Ｓｌｏｔ ｔｉｍｅ)ごとにチャンネルが使われている検出動作を行う。したがって、受信装置はスロット時間を抽出された値ほど待った後にフレームを伝送する。
【００１１】
Ｄａｔａ ｆｒａｍｅ(ＯＦＤＭ：Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)２２０は、ｂａｃｋ−ｏｆｆ２１０期間中に自身の順序と判断された場合にはじめて受信装置に送信されるデータであって、送信装置のＭＡＣから受けたデータを含んでいるフレームである。ＡＣＫフレーム(ＯＦＤＭ)２３０は、受信装置が送信装置に伝送する認証フレームであって、送信装置は前記ＡＣＫフレームを受信した場合に限って次のデータフレームを伝送しうる。
【００１２】
ＤＩＦＳ(Ｄｉｓｔｒｉｂｕｔｅｄ Ｉｎｔｅｒ−Ｆｒａｍｅ Ｓｐａｃｅ)は、送信装置がデータフレームを伝送するためにチャンネルを使用しようとする時、既に受信装置と無線通信を通じてデータを送信していた他の送信装置が通信を終えた時からｂａｃｋ−ｏｆｆ２１０を行う前まで待つフレーム間隔を示す。ＳＩＦＳ(Ｓｈｏｒｔ Ｉｎｔｅｒ−Ｆｒａｍｅ Ｓｐａｃｅ)は最も短いフレーム間の間隔で、Ｄａｔａ ｆｒａｍｅ２２０とＡＣＫフレーム２３０との間隔である。
【００１３】
図３は、無線ＬＡＮ(８０２.１１ａ)のＭＳＤＵ長に対する伝送効率を示すグラフである。
図３を参照すれば、図２に示したデータ伝送方式においてＭＡＣが上位階層から受信したデータフレームの長さ(ＭＳＤＵ)が増加するほど伝送効率は増加することが分かる。現在イーサネット（登録商標）の場合、物理階層で５４Ｍｂｐｓで伝送するならば、ＭＳＤＵが１５６０ｏｃｔである時に最大３２Ｍｂｐｓの伝送効率だけを確保しうるが、ＭＳＤＵの長さが長くなって約４０００ｏｃｔであれば最大４２Ｍｂｐｓの伝送効率を確保しうる。
【００１４】
前記伝送効率は伝送されたフレームが正常に伝送された場合の最大値であるので、もし伝送されるデータフレームにエラーが検出されれば送信機は再伝送しなければならないが、この場合、伝送効率は当然に低下する。したがって、伝送効率の増加のために伝送されるフレームの長さを単純に増加させることは、データフレームにエラーが発生した場合にむしろ伝送効率を低下させる原因となりうる。
【非特許文献１】ＩＥＥＥ ８０２．１１ Ｓｔａｎｄａｒｄ  ｐａｒｔ II： Ｗｉｒｅｌｅｓｓ ＬＡＮ Ｍｅｄｉｕｍ ＡＣｃｅｓｓ Ｃｏｎｔｒｏｌ(ＭＡＣ) ａｎｄ Ｐｈｙｓｉｃａｌ Ｌａｙｅｒ(ＰＨＹ) ｓｐｅｃｉｆｉｃａｔｉｏｎｓ
【発明の開示】
【発明が解決しようとする課題】
【００１５】
本発明が解決しようとする技術的課題は、下位階層である物理階層で伝送できる最大データフレームの長さの範囲内で、上位階層からデータフレームを複数受信し、これを一つの物理階層データフレームとして伝送させて網の伝送効率を向上させるペイロード内でのフレーム分割方法を提供することである。
【００１６】
本発明が解決しようとする他の技術的課題は、下位階層である物理階層で伝送できる最大データフレームの長さの範囲内で、上位階層からデータフレームを受信してこれを複数のデータフレームに分割し、これを一つのデータフレームとして伝送させて網の伝送効率を向上させるペイロード内でのフレーム分割方法を提供することである。
【００１７】
本発明が解決しようとするまた他の技術的課題は、複数に内部分割されたが一つの物理階層フレームとして伝送されるデータフレームにエラーが発生してデータの再伝送が必要な場合にも伝送効率を低下させることを最小化できるペイロード内でのフレーム分割方法を提供することである。
【課題を解決するための手段】
【００１８】
前記技術的課題を達成するための本発明に係るペイロード内でのフレーム分割方法は、無線ＬＡＮを構成するＭＡＣ階層、物理階層、及び物理媒体の間で伝えられるデータフレームを生成させる方法において、前記ＭＡＣ階層で、より上位階層から任意に設定された数(ｎ)だけのデータフレームを受信し、前記受信されたデータフレームにＭＡＣ階層ヘッダ及びＣＲＣをそれぞれ割り当てて前記受信したデータフレームの数によってデータフレームを内部分割する段階と、前記物理階層で、前記ＭＡＣ階層から受信した前記内部分割されたデータフレーム、プリアンブル及び物理階層ヘッダを用いて前記設定された数(ｎ)だけのデータフレームに区分される物理階層フレームを生成する段階と、を備える。
【００１９】
前記他の技術的課題を達成するための本発明に係るペイロード内でのフレーム分割方法は、無線ＬＡＮを構成するＭＡＣ階層、物理階層及び物理媒体の間で伝えられるデータフレームを生成させる方法において、前記ＭＡＣ階層で、より上位階層から受信したデータフレームを複数(ｎ)のデータフレームに分割し、分割されたそれぞれのフレームにＭＡＣ階層ヘッダ及びＣＲＣをそれぞれ割り当ててデータフレームを内部分割する段階と、前記物理階層で、前記ＭＡＣ階層から受信した前記内部分割されたデータフレーム、プリアンブル及び物理階層ヘッダを用いて前記分割された数(ｎ)だけのデータフレームに区分される物理階層フレームを生成する段階と、を備える。
【００２０】
前記また他の技術的課題を達成するための本発明に係るペイロード内でのフレーム分割方法は、データフレーム送信装置から伝送されるデータフレームを受信した受信装置がＡＣＫフレーム)前記データフレーム送信装置に伝送する段階をさらに備え、前記ＡＣＫフレームは、前記設定された数(ｎ)だけ区分された前記物理階層フレームが伝送される途中にエラーが発生したことをそれぞれ指示するためのデータを含む。
【発明の効果】
【００２１】
本発明に係るペイロード内でのフレーム分割方法は、上位階層からデータフレームを複数受信してこれを一つの物理階層データフレームに伝送させることによって、同じ作業時間当り網の伝送効率を向上させ、複数に内部分割されたが一つの物理階層フレームとして伝送されるデータフレームにエラーが発生してデータを再伝送をする場合にも伝送効率を低下させることを最小化しうる。
【発明を実施するための最良の形態】
【００２２】
本発明とその動作上の利点及び本発明の実施によって達成される目的を十分に理解するためには本発明の望ましい実施例を例示する添付図面及び添付図面に記載された内容を参照せねばならない。
以下、添付した図面に基づき、本発明の望ましい実施の形態を説明することにより本発明を詳細に説明する。各図面に示された同じ参照符号は同じ部材を示す。
【００２３】
図４は、本発明の実施例によるペイロード内でのフレーム分割方法を示すダイアグラムである。
図４を参照すれば、本発明の実施例によるペイロード内でのフレーム分割方法は、ＭＡＣ階層での分割段階と物理階層での分割段階に大別される。前記ＭＡＣ階層でのデータフレーム分割段階は、上位階層(例えば、Ｅｔｈｅｒｎｅｔ（登録商標）)から受信したデータフレームをＭＳＤＵと定義する段階４００、ＭＳＤＵ４００にＭＡＣ Ｈｅａｄｅｒを追加したデータフレームを生成する段階４１０、ＭＡＣ Ｈｅａｄｅｒが追加されたデータフレームをn個(以下、ｎを３と仮定する)のデータフレーム(ＭＡＣ ｄａｔａ−ｆ１、ＭＡＣ ｄａｔａ−ｆ２、及びＭＡＣ ｄａｔａ−ｆ３)に分割する段階４２０、３個の分割されたデータフレームのそれぞれにＣＲＣ ｃｈｅｃｋ ｂｉｔ(ｃ１、ｃ２及びｃ３)を添加してデータフレーム(ＭＳＤＵ−ｆ１−ｃ１、ＭＳＤＵ−ｆ２−ｃ２、及びＭＳＤＵ−ｆ３−ｃ３)を生成する段階４３０、及び前記ＣＲＣ ｃｈｅｃｋ ｂｉｔが添加されたデータフレームを３個のグループに(ＭＰＤＵ−ｆ１、ＭＰＤＵ−ｆ２、及びＭＰＤＵ−ｆ３)と定義する段階４４０を備える。
【００２４】
物理階層でのデータフレーム分割は、上位階層(ＭＡＣ ｌａｙｅｒ)から受信したデータフレームをＰＳＤＵ４００と定義する段階４５０、ＰＳＤＵ４５０を物理階層でのデータ処理に対する国際標準によって処理して３個のペイロード(ｐａｙｌｏａｄ−ｆ１、ｐａｙｌｏａｄ−ｆ２、及びｐａｙｌｏａｄ−ｆ３)を生成させる段階４６０、３個のペイロード４６０のうち二番目及び三番目ペイロード前にプリアンブル及び物理階層ヘッダをそれぞれ追加して３個のサブペイロードグループ(Ｓｕｂ−ｐａｙｌｏａｄ−ｆ１、ｐｒｅａｍｂｌｅ−ｈｅａｄｅｒ−Ｓｕｂ−ｐａｙｌｏａｄ−ｆ２、及びｐｒｅａｍｂｌｅ−ｈｅａｄｅｒ−Ｓｕｂ−ｐａｙｌｏａｄ−ｆ３)を生成させる段階４７０及び３個のサブペイロードグループ４７０の前にプリアンブル及びヘッダを追加して物理階層データフレームを生成させる段階４８０を備える。前記実施例において、上位階層から受信したデータフレームの長さを１０００ｏｃｔとし、ＭＡＣ階層で受信可能なデータフレームの長さを３０００ｏｃｔとすれば、ｎが３と決められる。
【００２５】
図５は、図４に示した本発明の一実施例によるペイロード内でのフレーム分割方法によって生成された物理階層データフレームに対するダイアグラムである。
図５を参照すれば、物理階層データフレーム４８０は、Ｐｒｅａｍｂｌｅ、Ｈｅａｄｅｒ(１)、Ｓｕｂ−ｐａｙｌｏａｄ(１)、Ｐａｒｔｉａｌ Ｐｒｅａｍｂｌｅ(２)、Ｈｅａｄｅｒ(２)、Ｓｕｂ−ｐａｙｌｏａｄ(２)、Ｐａｒｔｉａｌ Ｐｒｅａｍｂｌｅ(３)、Ｈｅａｄｅｒ(３)、及びＳｕｂ−ｐａｙｌｏａｄ(３)で構成されることが分かる。Ｐｒｅａｍｂｌｅ、Ｐａｒｔｉａｌ Ｐｒｅａｍｂｌｅ(２)及びＰａｒｔｉａｌ Ｐｒｅａｍｂｌｅ(３)は、送受信装置間に約束した特定のパターンで構成されているが、受信機は前記Ｐｒｅａｍｂｌｅ、Ｐａｒｔｉａｌ Ｐｒｅａｍｂｌｅ(２)及びＰａｒｔｉａｌ Ｐｒｅａｍｂｌｅ(３)を用いてチャンネルの現在フレームを監視し、フレームが検出された時にフレームの開始部分の検出、送受信装置間の同期、受信信号に発生したチャンネルの歪みに対する影響推定などを行う。
【００２６】
物理階層におけるヘッダは、データ情報を有しているペイロード長及び伝送率に対する情報を含んでいるが、Ｈｅａｄｅｒ(１)はＨｅａｄｅｒ(１)に連続するデータストリームの長さ(ｌｅｎｇｔｈ１)に対する情報を、Ｈｅａｄｅｒ(２)はＨｅａｄｅｒ(２)に連続するデータストリームの長さ(ｌｅｎｇｔｈ２)に対する情報を、最後に、Ｈｅａｄｅｒ(３)はＨｅａｄｅｒ(３)に連続するデータストリームの長さ(ｌｅｎｇｔｈ３)に対する情報をそれぞれ含んでいる。本発明を国際標準によってのみ処理される装置と互換して使用するためには、次のような仕様の修正が必要である。まず、本発明を支援する両装置間で通信が行われる間に他の装置は物理階層のヘッダをデコードして物理階層のフレーム長さを確認することができる。この時、本発明に係る物理階層フレームのペイロードはデータだけでなくプリアンブルも含んでいるため、このような特殊なモードで動作する場合に相互間に約束が必要である。これを達成するために物理階層フレームのヘッダに使われないデータビット(例えば、９ビット)の一部を使って特殊モードであるか否かを通報しうる。この部分に対する考慮だけあれば、国際標準によってのみデータを処理する従来の装置との互換性において物理階層では問題が発生しない。
【００２７】
本発明に係るペイロード内でのフレーム分割方法によって分割されたデータフレームの送受信を円滑にするために従来のＡＣＫフレームの短所を補完したＡＣＫフレームを提案する。これは、従来のＡＣＫフレームには送信される物理階層データフレームのペイロードが一つであることに対する情報が含まれているため、本発明の一実施例によって内部分割された複数のペイロードを含む物理階層データフレームに対する情報を伝達するためには新しいＡＣＫフレームが要求されるからである。
【００２８】
例えば、複数の内部分割されたペイロードのうち中間に位置したペイロードにエラーが発生する時、以前に受信された異常のないペイロードは正常に処理されるようにし、エラーが発生したペイロードについてのみ再伝送することを要求する信号を送って初めて再伝送による伝送効率の低下を最小化しうる。図６は、従来の使用中のＡＣＫフレームを示すダイアグラムである。
【００２９】
図６を参照すれば、従来のＭＡＣ階層のＡＣＫフレームは、ＭＡＣ Ｈｅａｄｅｒ及びＦＣＳで構成され、物理階層フレーム全体に対する認証フレームであることが分かる。図７は、本発明の一実施例によるペイロード内でのフレーム分割方法で使用するＡＣＫフレームを示すダイアグラムである。
【００３０】
図７を参照すれば、本発明の一実施例によるペイロード内でのフレーム分割方法で使用するＡＣＫフレームは、ＭＡＣ Ｈｅａｄｅｒ及びＦＣＳ外にも、分割されたデータフレームのそれぞれに対する伝送エラー有無を指示する複数の情報ビット(ｂｉｔ(１)ないしｂｉｔ(Ｆ))で構成されることが分かる。受信装置は、本発明に係るペイロード内でのフレーム分割方法によって分割されたデータフレームのそれぞれに対する伝送エラー有無を指示する情報を含んだ前記ＡＣＫフレームを送信装置に伝送する。送信装置は、エラーが発生した部分に対する情報を前記ＡＣＫフレームから認識し、エラーが発生した部分に対するデータだけを前記受信装置に再伝送すれば済む。従って、本発明の一実施例によるフレーム分割方法の場合、ＩＥＥＥ８０２.１１で規定したＭＡＣフレームフラグメンテーション(ｆｒａｇｍｅｎｔａｔｉｏｎ)に対する情報をＭＡＣヘッダに設置した場合にその効果が得られる。
【００３１】
本発明に対する上記の説明は、イーサネット（登録商標）フレームに集中されたが、従来のイーサネット（登録商標）データフレームより長い他の形式のデータフレームを伝送する時、例えば、マルチメディアや放送データのように無限にデータを伝送すべき場合にも本発明が適用されうる。この場合、伝送される無限なデータを一定大きさに分割して処理した後、一つの物理階層データフレームとして伝送すればよい。その後には前述したイーサネット（登録商標）フレーム伝送方式と同じ方法によって処理される。
【００３２】
以上、図面と明細書において最適の実施例が開示された。ここで特定用語が使われたが、これは単に本発明を説明するための目的として使われたものであり、意味限定や特許請求の範囲に記載された本発明の範囲を制限するために使われたものではない。したがって、当業者ならば、これより多様な変形及び均等な他の実施例が可能である。したがって、本発明の真の技術的保護範囲は特許請求の範囲によってのみ決まるべきである。
【産業上の利用可能性】
【００３３】
本発明は、データ通信に係り、イーサネット（登録商標）および無線ＬＡＮ分野の送受信装置に使われる。
【図面の簡単な説明】
【００３４】
【図１】イーサネット（登録商標）(ＩＥＥＥ８０２.３)と無線ＬＡＮ(ＩＥＥＥ８０２.１１ａ)間のプロトコルの長さを示すダイアグラムである。
【図２】無線ＬＡＮ(８０２.１１ａ)でフレームを送受信するタイミングダイアグラムを示す。
【図３】無線ＬＡＮ(８０２.１１ａ)のＭＳＤＵ長に対する伝送効率を示すグラフである。
【図４】本発明の実施例によるペイロード内でのフレーム分割方法を示すダイアグラムである。
【図５】図４に示した本発明の一実施例によるペイロード内でのフレーム分割方法によって生成された物理階層データフレームに対するダイアグラムである。
【図６】従来の使用中であるＡＣＫフレームを示すダイアグラムである。
【図７】本発明の一実施例によるペイロード内でのフレーム分割方法で使用するＡＣＫフレームを示すダイアグラムである。
【図１】
0004713875.tif 000002
【図２】
0004713875.tif 000003
【図３】
0004713875.tif 000004
【図４】
0004713875.tif 000005
【図５】
0004713875.tif 000006
【図６】
0004713875.tif 000007
【図７】
0004713875.tif 000008